(57)【特許請求の範囲】
【請求項１】
人を検知する人感センサを有する情報処理装置であって、
前記人感センサが人を検知しなくなってから所定の時間が経過すると、前記情報処理装置が消費電力を低減する省電力状態に移行するよう前記情報処理装置を制御する制御部を有し、
前記所定の時間は、複数の条件のうちのいずれか１つの条件に応じて変化し、当該複数の条件には優先度が設定されていることを特徴とする情報処理装置。
【請求項２】
請求項１の情報処理装置であって、
前記複数の条件は、時間帯に関する条件、前記情報処理装置の周囲の明るさに関する条件、前記情報処理装置の周囲の温度に関する条件、及び前記情報処理装置の状態に関する条件のうちの少なくとも２つの条件を含むことを特徴とする情報処理装置。
【請求項３】
請求項１または２の情報処理装置であって、
前記所定の時間は、前記情報処理装置のユーザにより設定されることを特徴とする情報処理装置。
【請求項４】
コンテンツを受信する受信部と、
前記受信部で受信したコンテンツを再生する再生部と、
人を検知する人感センサとを有する受信装置であって、
前記人感センサが人を検知しなくなってから所定の時間が経過すると、前記受信装置が消費電力を低減する省電力状態に移行し、
前記所定の時間は、複数の条件のうちのいずれか１つの条件に応じて変化し、当該複数の条件には優先度が設定されていることを特徴とする受信装置。
【請求項５】
請求項４の受信装置であって、
前記複数の条件は、時間帯に関する条件、前記受信装置の周囲の明るさに関する条件、前記受信装置の周囲の温度に関する条件、前記受信装置の状態に関する条件、前記再生部で再生するコンテンツのジャンルに関する条件、及び前記再生部で再生するコンテンツの課金の有無に関する条件のうち少なくとも２つの条件を含むことを特徴とする受信装置。
【請求項６】
請求項４または５の受信装置であって、
前記所定の時間は、前記受信装置のユーザにより設定されることを特徴とする受信装置。
【請求項７】
請求項４〜６のいずれかの受信装置であって、
前記所定の条件に関わらず、前記受信装置が省電力状態に移行しない期間がユーザにより設定されることを特徴とする受信装置。
【請求項８】
人を検知する人感センサを有する情報処理装置であって、
前記人感センサが人を検知しなくなってから所定の時間が経過すると、前記情報処理装置が消費電力を低減する省電力状態に移行し、
前記所定の時間は、第１の優先度が設定された第１の条件または第１の優先度よりも低い第２の優先度が設定された第１の条件とは異なる第２の条件に応じて変化し、
前記所定の時間は、前記第１の条件を満たす場合、前記第１の条件に応じて変化し、
前記所定の時間は、前記第１の条件を満たさず、かつ前記第２の条件を満たす場合、前記第２の条件に応じて変化することを特徴とする情報処理装置。
【請求項９】
請求項８の情報処理装置であって、
前記第１の条件及び前記第２の条件は、時間帯に関する条件、前記情報処理装置の周囲の明るさに関する条件、前記情報処理装置の周囲の温度に関する条件、及び前記情報処理装置の状態に関する条件のいずれかであることを特徴とする情報処理装置。
【発明の詳細な説明】
【技術分野】
【０００１】
技術分野は、消費電力を節約する省電力モードを有する装置に関する。
【背景技術】
【０００２】
消費電力を節約するために、人の動きを検知する人感センサを用いた機器が普及してきている。例えば、特許文献１には、「テレビなどのＡＶ機器に人感センサを取り付け、通常モードと節電モードを設定して、それぞれのモードで人感センサの機能を働かせることによって、きめ細かな節電効果を達成することのできる人感センサ機能付きＡＶ機器を提供すること」（特許文献１[０００７]参照）を課題とし、その解決手段として「人の存在を感知する人感センサが設置され、手動で電源をオフし得る通常モードと節電効果を奏し得る節電モードとが設定された人感センサ機能付きＡＶ機器であって、前記節電モードが設定された場合、前記人感センサが規定された所定時間だけ人の存在を検知できないときには自動的に待機モードに切り替えられ、前記待機モードが規定された所定時間だけ経過すれば電源を自動的にオフする構成とする」（特許文献１[０００８]参照）ことが開示されている。
【先行技術文献】
【特許文献】
【０００３】
【特許文献１】特開２００７-９６４６２
【発明の概要】
【発明が解決しようとする課題】
【０００４】
ところが、特許文献１では、所定の時間に人の存在を検知できない場合に節電モードに切り替えるため、ユーザが節電モードに切り替えることを希望していないにもかかわらず、節電モードに切替えてしまうおそれがある。
【０００５】
すなわち、ユーザによる機器の利用状況を考慮せずに節電モードに切り替えることにより、ユーザに不快な思いをさせてしまう、ユーザにとって使い勝手が悪くなってしまう等の問題点がある。
【課題を解決するための手段】
【０００６】
上記課題を解決するために、本発明の一実施の態様は、例えば特許請求の範囲に記載された技術的思想を用いる。
【発明の効果】
【０００７】
上記手段によれば、ユーザにとって使い勝手が良く、省電力性に優れた装置を提供することができる。
【図面の簡単な説明】
【０００８】
【図１】本実施例における装置の使用外観の一例を説明する図
【図２】本実施例における装置の構成例を示す図
【図３】省電力モード移行時間の判定テーブルの一例を説明する図
【図４】省電力モード移行時間の動的制御方法の一例を説明する図
【図５】複数条件と優先度を用いた省電力モード移行時間の動的制御方法の一例を説明する図
【図６】省電力モード移行時間を説明する図
【図７】所定の時間帯に省電力モードへの移行を禁止することの一例を説明する図
【図８】機器制御装置の一例を示す図
【図９】省電力モードへの移行を禁止することを通知するメッセージの一例を示す図
【発明を実施するための形態】
【０００９】
まず、従来の装置の問題点とその解決方法の概要について、具体例を挙げて説明する。表示装置を例にあげると、人によっては、朝はじっくり表示装置を視聴しておらず、家事等をしながら音声を中心に聞いていることが考えられる。つまり、この状況では表示装置の前にずっと居るわけではなく、ユーザは表示装置の前に居たり居なかったりを頻繁に繰り返している可能性がある。
【００１０】
この場合、人の存在を検知できなくなってから省電力モードに切り替えるまでの時間が固定であると、省電力モードに効果的に切り替わらない可能性があるので、人の存在を検知できなくなってかから省電力モードに切り替えるまでの時間を短くすることにより、省電力効果が高くなる。
【００１１】
一方、夕食時には、じっくりと表示装置を視聴しているという状況が考えられる。この場合、表示装置の前に長時間居ることが多いと考えられるので、人の存在を検知できなくなってから省電力モードに切り替えるまでの時間を短くすると、人は存在するが、動かないで表示装置を視聴している状況の時に、表示装置を視聴しているのに省電力モードに切り替わってしまい、ユーザに不快な思いをさせてしまうので、人の存在を検知できなくなってから省電力モードに切り替えるまでの時間を長くするのが効果的である。
【００１２】
以下、さらに具体的な実施例について説明する。
【００１３】
[システム構成]
図１は、本実施例における概観を説明する図で、１００はＴＶなどの表示装置、１０５は表示部、１０１は人の存在や動きを検知することが可能な人感センサ、１は機器のユーザである。本実施例ではＴＶなどの表示装置１００に人感センサ１０１を取り付けることによって、表示装置１００の省電力を図るものである。
【００１４】
人感センサ１０１は、人間の動きを検知する検知器の一種であり、人の在／不在を検知したり、人やものなどが検知エリアの中で動いたときに、その動きを検知する装置のことである。人感センサの代表的な例としては、温度の絶対値を測定できるサーモパイル型赤外線センサや、焦電効果を利用し物体から放射される赤外線エネルギーを電気信号に変換する焦電センサがあり、また光センサを使っても人の検知をすることが可能である。さらに、カメラなどの撮像装置を使えば、より詳細に人の在／不在や人の動きを検知することが可能になる。
【００１５】
図２は、本実施例における装置のハードウェア構成図である。１０２は省電力モード移行時間制御部で、省電力モードへの移行時間を制御する。省電力モードおよび省電力モード移行時間の説明については後述する。
【００１６】
１０３はＣＰＵなどの制御部、１０４はメモリなどの記憶部、１０６は明るさや光の色合い等を検出する光センサ部、１０７は温度を検出する温度センサ部、１０８はスピーカ等の音出力部である。１０９は、放送等を受信するチューナなどの受信部、１１０は、受信した画像音声信号を処理する画像音声信号処理部、１１１はリモコンからの信号を受信するリモコン受信部、８０１は表示装置１００を操作可能な機器制御装置である。
【００１７】
なお、図２では省電力モード移行時間制御部１０２と制御部１０３とが別のブロックとして示されているが、１つの制御部が１０２及び１０３が行う制御を行うようにしても良い。また、表示部１０５と音出力部１０８を総称して再生部ともいう。
【００１８】
[省電力モード]
本実施例において省電力モードとは、機器の消費電力を抑えるモードを意味する。例えば、通常表示装置は、図２の表示部１０５に動画等の画像を映し、音出力部１０７から音声を発生させることにより、ユーザはコンテンツを視聴することが可能となる。
【００１９】
ここで、表示部１０５に動画を映さず、音出力部１０７から音声のみの再生にすると、消費電力は抑えられ省電力モードに移行したと言える。あるいは、表示部１０５の輝度を下げたり、現在使ってない機能を制限したりＯＦＦすることによっても消費電力を下げることができる。
【００２０】
本実施例においては、省電力モード以外の動作状況を通常モードと呼ぶことにする。
【００２１】
また、通常モードから省電力モードへ移行する際、あるいは省電力モードから通常モードへ移行する際に、機器がユーザに対してモードが切り替わることを通知することにより、ユーザの意図しない動作を防ぐ効果があり、ユーザがモードの切り替わりを停止させることも可能である。例えば、制御部１０３においてモードが切り替わったことを検知すると、表示部１０５にモードが切り替わったことを表すメッセージを表示することによりユーザに通知することが可能となる。
【００２２】
[省電力モード移行時間]
本実施例において省電力モード移行時間とは、人感センサ１０１において人の動きを検知しなくなってから通常モードから省電力モードへ移行するまでの時間を意味する。省電力モード移行時間の例について図６を用いて説明する。
【００２３】
人感センサ付き機器を利用中、人感センサ１０１で人を検知している場合（図６の６０３）、機器は通常モード（図６の６０１）で動作している。人感センサ１０１において人の動きを検知しなくなって（図６の６０４）から所定の時間が経過したら（図６の６０５）省電力モードに移行する（図６の６０２）ことを考えた場合、省電力モード移行時間とは、６０５の人感センサ１０１において人の動きを検知しなくなってから省電力モードに切り替わるまでの時間を指す。
【００２４】
[省電力モード移行時間を動的制御するための条件]
省電力モード移行時間制御部１０２において、省電力モード移行時間６０５を動的に制御するための条件について説明する。ここでの説明では、人感センサ付き機器の例として表示装置を取り上げるが、機器を限定するものではない。
【００２５】
（１）条件１：時間帯
例えば、ある家庭では、朝の時間帯は、家事、出勤の準備等動きがあることが多く、じっくりと表示装置を視聴することが少ないと仮定する。つまり、人感センサ１０１の検知エリアへの出入りが多く、省電力モード移行時間６０５は比較的短い時間に設定したほうがよいと考えることができる。一方、夕食の時間帯は表示装置を視聴しながら食事を摂ることが多いと仮定すると、人感センサ１０１の検知エリアに人が居続けることになり、この時間帯の省電力モード移行時間６０５は長めに設定しておくか、あるいは省電力モードに移行しないような設定にすることが望ましい。さらに、平日と休日でも表示装置の視聴パターンが違うことが考えられる。
【００２６】
つまり時間帯によって、省電力モード移行時間６０５を変更することにより、効果的に省電力モードへ移行させることが可能となる。
【００２７】
（２）条件２：周囲の明るさ
表示装置で映画を視聴する人の中には、より臨場感を出すために周囲を暗くする場合がある。こういった人は、じっくりと視聴する場合が多く、人感センサ１０１の検知エリアにいるけれどもあまり動かないことになる。この場合は、省電力モード移行時間６０５を長めに設定するか、あるいは省電力モードに移行しないような設定にしておかないと、映画を視聴しているのにもかかわらず省電力モードへ移行してしまい、ユーザに不快感を与えることになる。なお、明るさの検出は光センサ部１０６によって可能である。
【００２８】
つまり、周囲の明るさによって、省電力モード移行時間６０５を変更することにより、効果的に省電力モードへ移行させることが可能となる。
【００２９】
（３）条件３：機器の状態
近年、表示装置にゲーム機器を接続してプレイする人が増加してきている。ゲームのプレイは通常コントローラを操作することが多いが、人の動きとしては非常に小さい動きになることが考えられる。小さな動きの場合、人感センサ１０１では検知できない可能性がある。
【００３０】
ゲームをプレイしている時に、人感センサ１０１で人の動きを検知できず、省電力モードに入れるとユーザに不快感を与えることになる。そこで、ゲームをプレイしているときは、省電力モード移行時間６０５を長めに設定する、あるいは、省電力モードに移行しないような設定にすることが有効である。
【００３１】
ゲームをプレイしているかの検出は、例えばゲームに最適な機器設定になっているゲームモードが選択可能であれば、制御部１０３にて検出可能である。また、表示装置とゲーム機器を接続するための特定の外部入力を設けることによっても検出可能である。
【００３２】
リモコン操作についても、ゲームのプレイと同様のことが言える。リモコンを操作しているときは、省電力モード移行時間６０５を長めに設定する、あるいは、省電力モードに移行しないような設定にすることが有効である。
【００３３】
表示装置に代表される映像を表示する機器において、ユーザが視聴している番組を同時に録画している時は、人感センサ１０１で人の動きを検知できず、省電力モードに入れるとユーザに不快感を与える可能性があるが、録画番組を後で視聴できることを考慮すると、省電力モード移行時間を短くすることも考えられる。
【００３４】
録画したコンテンツ等の記録メディアに記録しているコンテンツを再生しているときに、ユーザが再生を一時停止した場合、ユーザは視聴を中断している可能性が大きいと考えることができる。この場合は、省電力モード移行時間を短くすることが有効である。
【００３５】
一方、早送りや巻き戻しなどの特殊再生をしている場合、ユーザは機器の近くにいる可能性が高いため、省電力モード移行時間６０５を長めに設定する、あるいは省電力モードに移行しないようにすることが有効である。
【００３６】
また、放送コンテンツや録画コンテンツなどを再生している状況で、広告情報が再生された場合は、ユーザによっては、広告を見ないことも考えられ、その場合は、省電力モード移行時間６０５を短くすることが有効である。
【００３７】
以上のことから、機器の状態によって、省電力モード移行時間６０５を変更することにより、効果的に省電力モードへ移行させることが可能となる。
【００３８】
（４）条件４：再生コンテンツのジャンル情報
表示装置に代表される映像を表示する機器において、コンテンツのジャンルはユーザの視聴スタイルに大きく影響を及ぼす。映画が好きなユーザが映画を視聴するときは、じっくり集中して視聴する可能性が高く、機器の前からいなくなる頻度は少ないと考えられる。この場合は、省電力モード移行時間６０５を長めに設定するか、あるいは省電力モードに移行しないような設定にすることが有効である。コンテンツのジャンル情報は、コンテンツに付属しているメタ情報を利用したり、放送で取得したり、ネットワーク等で取得することが可能である。
【００３９】
以上のことから、再生コンテンツのジャンル情報によって、省電力モード移行時間６０５を変更することにより、効果的に省電力モードへ移行させることが可能となる。
【００４０】
（５）条件５：再生コンテンツの課金情報
近年、有料コンテンツの視聴も増加している。一般的に有料コンテンツの視聴は、じっくり集中して視聴する可能性が高く、機器の前からいなくなる頻度は少ないと考えられる。この場合は、省電力モード移行時間６０５を長めに設定するか、あるいは省電力モードに移行しないような設定にすることが有効である。
【００４１】
以上のことから、再生コンテンツの課金情報によって、省電力モード移行時間６０５を変更することにより、効果的に省電力モードへ移行させることが可能となる。
【００４２】
（６）条件６：周囲の温度
周囲の温度と人の表面温度の温度差を検知するような人感センサ１０１を用いる場合、周囲の気温によって、人感センサ１０１の感度も変化する。例えば、周囲の気温と人の表面温度の差が非常に小さい場合、センサは人を検知することが困難になる。
【００４３】
そこで、周囲の気温が所定以上になった場合には、省電力モード移行時間を短めにしておくことが有効となる。周囲の温度は、温度センサ１０７で取得できるが、周囲の温度を測定することが困難な場合には、時間帯や季節に連動させるのも効果的である。
【００４４】
以上のことから、周囲の温度によって、省電力モード移行時間６０５を変更することにより、効果的に省電力モードへ移行させることが可能となる。
【００４５】
[単一条件で省電力モード移行時間を動的制御する制御方法]
省電力モード移行時間６０５を動的制御するための条件として、上記にいくつかの例を示した。ここではまず、単一条件で省電力モード移行時間６０５を動的制御する制御方法について図４を用いて説明する。
【００４６】
上記に示したような条件のうち少なくとも一つが判定条件として設定されているとすると、省電力モード移行時間制御部１０２はその省電力モードに移行するための条件を満たすかどうか判定する（図４のＳ４００１）。もし、条件を満たさなければ、標準値を省電力モード移行時間６０５設定する（図４のＳ４００３）。
【００４７】
ここで標準値とは条件を満たさなかった場合に使用する省電力モード移行時間６０５の値で、ユーザがあらかじめ設定できるようにしてもよい。条件を満たすようであれば、その条件に設定されている省電力モード移行時間６０５を設定する（図４のＳ４００２）。
【００４８】
この状態で、人感センサによって人を検知している間は、省電力モードへは移行させず、常に省電力モード移行条件を監視する（図４のＳ４００４）。もし、人を検知しなくなった場合は、省電力モード移行時間制御部１０２は設定されている省電力モード移行時間６０５を経過したかどうかを監視する（図４のＳ４００５）。もし、人を検知しなくなった状態で、省電力モード移行時間６０５を経過した場合、省電力モードに移行する（図４のＳ４００６）。
【００４９】
また、先に説明したように、条件によっては、省電力モードに移行しないことが効果的な場合もある。
【００５０】
本実施例によれば、人感センサ１０１を用いて、よりきめ細やかに機器を省電力モードに移行させることが可能となる。
【００５１】
[複数条件と優先度を用いて省電力モード移行時間の動的制御方法]
次に、前記省電力モード移行時間６０５を動的制御するための条件を、複数使い省電力モード移行時間６０５を動的制御方法について、図３、図５を用いて説明する。
【００５２】
図３は、省電力モード移行時間６０５を動的制御するための条件のテーブルであり、記憶部１０４に保存し、省電力モード移行時間制御部１０２が管理する。また、設定画面として図３のテーブルを表示部１０５に表示することにより、ユーザが設定を変更することが可能となる。
【００５３】
３０１は、条件を有効にするか無効にするかを設定する項目で、図３の例では黒丸が選択している状態になっている。
【００５４】
３０２は条件を分類した項目で、前記説明した時間帯、周囲の明るさ、機器の状態、再生コンテンツのジャンル、再生コンテンツの課金情報、周囲の気温を例として記載している。また、どの条件にも当てはまらない場合に使用する標準値も設定できるようにする。
【００５５】
３０３は省電力モード移行時間６０５で、３０２の各条件にを満たした場合の省電力モード移行時間を示している。３０４は優先度で、複数の条件を同時に満たす場合の優先度である。また、図３に示すテーブルは予め設定されていてもよいし、ユーザが適宜変更できるようにしてもよい。ユーザにより変更できるようにすることによって、ユーザの好みや行動パターンを反映させることが可能となる。
【００５６】
図５は、複数条件と優先度を用いて省電力モード移行時間６０５の動的制御方法を説明する流れ図である。
【００５７】
まず、省電力モード移行時間制御部１０２は図３に示した条件テーブルから、有効になっている条件を抽出する（図５のＳ５００１）。図３の例では、時間帯、機器の状態、再生コンテンツのジャンルが有効な条件として抽出できる。
【００５８】
次に、省電力モード移行時間制御部１０２は有効な条件の最も優先度の高い条件を判定する（図５のＳ５００２）。図３の例では、機器の状態が最も高い優先度として設定されているので、機器の状態を条件として判定する。機器の状態が図３に示したテーブルに示す状態のいずれかに該当する場合は、その時の省電力モード移行時間６０５を設定する（図５のＳ５００６）。
【００５９】
もし、その状態にも当てはまらなければ、次に優先度の高い再生コンテンツのジャンルの状態を判定する。Ｓ５００２〜Ｓ５００３を繰り返し実行し、全ての条件を判定した結果満たさなければ（図５のＳ５００４）、標準値を省電力モード移行時間６０５設定する（図５のＳ５００５）。この状態で、人を検知している間は、省電力モードへは移行させず、常に省電力モード移行条件を監視する（図５のＳ５００７）。
【００６０】
もし、人を検知しなくなった場合は、設定されている省電力モード移行時間６０５を経過したかどうかを監視する（図５のＳ５００８）。もし、人を検知しなくなった状態で省電力モード移行時間６０５を経過した場合、省電力モードに移行する（図５のＳ５００９）。
【００６１】
また、先に説明したように、条件によっては、省電力モードに移行しないことが効果的な場合もあるので、図３の例では省電力モード移行時間６０５をＯＦＦと記載している。
【００６２】
本実施例によれば、人感センサ１０１を用いて、よりきめ細やかに機器を省電力モードに移行させることが可能となる。
【００６３】
なお、図３において条件の有効／無効設定３０１が、一つのみ有効になっていた場合は単一条件として扱うことが可能であり、その場合、優先度は必要なくなる。
【００６４】
[省電力モードへの移行を所定時間止める方法（１）]
機器のユーザによっては、特定の時間帯に省電力モードへの移行を停止したいことも考えることができる。そこで、特定の時間帯については省電力モードへ移行しない構成について説明する。
【００６５】
図７は、所定の時間帯に省電力モードへの移行を禁止することを説明する図であり、７０１は一日の時間帯を表しており、７０２は省電力モードへの移行を禁止する期間を表している。
【００６６】
省電力モード移行禁止期間７０２は、機器のユーザが自身の好みによって設定することが可能である。また、複数の期間設定することも可能である。
【００６７】
例えば、図７に示すような図を表示部１０５に表示し、ユーザが時間を設定することが考えられる。省エネモードを禁止する時間帯は、ユーザが特定の時間帯に必ず視聴する番組があり、絶対に省エネモードによる消画をしてほしくない場合などが考えられる。人感センサ１０１は先に説明した特徴にあるように、人間の動きを検出しているため、集中して視聴していると、つまり動きが少ないと、人間がいないと検出してしまう。ユーザの視聴機会を保証する意味で本機能は効果的である。
【００６８】
本実施例によれば、所定の時間帯に省電力モードへの移行を停止することが可能となり、使い勝手を向上することができる。
【００６９】
[省電力モードへの移行を所定時間止める方法（２）]
実施例３では、特定の時間帯に省電力モードへの移行を禁止する例を示したが、特定の時間帯ではなく、現在の時点から所定期間の間省電力モードへの移行を禁止することも可能である。
【００７０】
図８は、機器を制御する制御装置を説明する図であり、リモコン等が考えられる。８０１はリモコン等の機器制御装置、８０２は省電力モードへの移行を禁止する命令を機器に送信するためのボタンである。ボタン８０２は、機械式のスイッチ、タッチコントロール可能な液晶モニタに表示した画像等が考えられる。
【００７１】
現在の時点から所定の期間、省電力モードへの移行を禁止する場合、ボタン８０２を押下すればよい。ボタン８０２を押下すると、制御部１０３において省電力モードに切り替えるとともに、例えば図９の９０１のように、所定期間省電力モードへの移行を禁止することを機器のユーザに通知することにより、確実に機器のユーザに所定期間省電力モードへの移行を禁止することを伝えることが可能となる。
【００７２】
ボタン８０２を連続で押下することにより所定期間を変更できるようにすることにより、機器のユーザの意図を、より細かく反映することが可能になる。
【００７３】
また、ボタン８０２を押下すると、図９の９０２のように省電力モードへの移行を禁止し、再度ボタン８０２を押下することにより、復帰することも可能である。
【００７４】
なお、ここではボタン８０２を押下することで省電力モードへの移行を禁止する構成について説明したが、他の方法で省電力モードへの移行の禁止を設定できるようにしてもよい。例えば、メニュー画面から設定できるようにしてもよい。
【符号の説明】
【００７５】
１      人
１００  表示装置
１０１  人感センサ
１０２  動き判定部
１０３  制御部
１０４  記憶部
１０５  表示部
１０６  光センサ部
１０７  温度センサ部
１０８  音出力部
Ｓ４００１-Ｓ４００６  単一条件で省電力モード移行時間を動的制御する方法を説明するステップ
Ｓ５００１-Ｓ５００９  複数条件で省電力モード移行時間を動的制御する方法を説明するステップ
６０１  通常モード
６０２  省電力モード
６０３  人感センサにおいて人検知している状態
６０４  人感センサにおいて人検知していない状態
６０５  省電力モード移行時間
７０１  一日の時間帯
７０２  省電力モードへの移行を禁止期間
８０１  リモコン等の機器制御装置
８０２  ボタン
９０１  所定期間省電力モードへの移行を禁止する通知
【図１】
0005580575.tif 000002
【図２】
0005580575.tif 000003
【図３】
0005580575.tif 000004
【図４】
0005580575.tif 000005
【図５】
0005580575.tif 000006
【図６】
0005580575.tif 000007
【図７】
0005580575.tif 000008
【図８】
0005580575.tif 000009
【図９】
0005580575.tif 000010